(57)【要約】【課題】テープ心線のテープ厚みの個体差を吸収でき、テープ心線と凹曲面部材との間の空隙を無くすための押付力による各光ファイバ心線への側圧を回避して損失を低減できる光ファイバ側方入出力装置を提供することを目的とする。【解決手段】本発明に係る光ファイバ側方入出力装置は、第２部材がテープ心線を第１部材の凹曲面へ押し付けており、テープ心線のテープ厚みの個体差を吸収してテープ心線と凹曲面部材との間の空隙を無くすことができる。そして、本発明に係る光ファイバ側方入出力装置は、第２部材がテープ心線の面のうち光ファイバ心線間を点で押すため光ファイバ心線への側圧を低減することができる。【選択図】図１
2018063392.tif 000002
【特許請求の範囲】
【請求項１】
複数の光ファイバ心線が並列するテープ心線の面が表面に沿うことで前記テープ心線に曲げを形成する凹曲面、及び曲げが与えられた前記テープ心線に対して光を入出力するプローブ光ファイバを保持する保持部を有する第１部材と、
先端で、前記テープ心線の面のうち前記光ファイバ心線間を前記第１部材の前記凹曲面の方向へ押し、前記テープ心線の面を前記第１部材の前記凹曲面に沿わせて曲げを形成する第２部材と、
を備える光ファイバ側方入出力装置。
【請求項２】
前記第２部材の前記先端は、球面であることを特徴とする請求項１に記載の光ファイバ側方入出力装置。
【請求項３】
前記第２部材は、前記先端が１つであり、前記先端が前記テープ心線の幅の中心を押すことを特徴とする請求項１又は２に記載の光ファイバ側方入出力装置。
【請求項４】
前記第２部材は、前記先端が複数であり、それぞれの前記先端が前記テープ心線の幅方向において中心に対して対称の位置を押すことを特徴とする請求項１又は２に記載の光ファイバ側方入出力装置。
【発明の詳細な説明】
【技術分野】
【０００１】
本開示は、光ファイバテープ心線を曲げ、光ファイバテープ心線の側方から光を入出力する光ファイバ側方入出力装置に関する。
【背景技術】
【０００２】
光ファイバを切断することなく光信号を光ファイバに入出力する技術として、既設の光ファイバ（被入力側光ファイバ）に曲げを与え、この曲げ部位に側面から別の光ファイバ（プローブ光ファイバ）を対向させ、当該プローブ光ファイバの先端部から光信号を入射すると共に、被入力側光ファイバから出射される光信号をプローブ光ファイバの先端部で受光する光ファイバ側方入出力技術が検討されている（例えば、特許文献１を参照。）。
【０００３】
光ファイバ側方入出力を実現するための装置として、凹曲面を有する第１部材と凸曲面を有する第２部材で光ファイバ心線を挟み込むことで、光ファイバを所望の曲げ形状で曲げ、かつ第１部材内に具備されたプローブ光ファイバを用いて光を入出力する装置がある（例えば、特許文献２を参照。）。
【先行技術文献】
【特許文献】
【０００４】
【特許文献１】特開２０１５−０４０９１６号公報
【特許文献２】特開２０１５−１４１２４５号公報
【発明の概要】
【発明が解決しようとする課題】
【０００５】
特許文献２では単心線を曲げることを記載しているが、４心テープ心線を曲げる場合でも同様の構成が考えられる。図１のように４心テープ心線の面を凹曲面を持つ第１部材と凸曲面を持つ第２部材で挟み込み、曲げを形成する。なお、凹曲面と凸曲面は図１（Ａ）のようにかみ合う形状である。図１は４心テープ心線に曲げを与える光ファイバ側方入出力装置を説明する図であり、図１（Ａ）は上面図、図１（Ｂ）は上面図のＸ−Ｘ’線での切断面を説明する図である。
【０００６】
ここで、図１のような光ファイバ側方入出力装置には次の２つの課題がある。
１．４心テープ心線のテープ厚みは個体により最大０．１ｍｍ程度異なること。
２．４心テープ心線と第１部材の間に空隙があると側方光入出力が困難になるため、空隙をなくし接し続けさせる必要があること。
この課題を解決するために、図１に示した通り、第２部材に対して矢印方向に押付力を付加する必要がある。
【０００７】
しかし、図１の構成の光ファイバ側方入出力装置は、押付力により４心テープ心線内の各光ファイバ心線に側圧がかかり損失が増加することがある。このように、図１の構成の光ファイバ側方入出力装置にはテープ心線の面を押圧することで損失が発生し、損失の大きさによって通信断になる可能性があるという第３の課題がある。
【０００８】
そこで、本発明は、テープ心線のテープ厚みの個体差を吸収でき、テープ心線と凹曲面部材との間の空隙を無くすための押付力による各光ファイバ心線への側圧を回避して損失を低減できる光ファイバ側方入出力装置を提供することを目的とする。
【課題を解決するための手段】
【０００９】
上記目的を達成するために、本発明に係る光ファイバ側方入出力装置は、テープ心線を凹曲面部材へ押し付ける押付力をテープ心線の面に対して点で与えることとした。
【００１０】
具体的には、本発明に係る光ファイバ側方入出力装置は、
複数の光ファイバ心線が並列するテープ心線の面が表面に沿うことで前記テープ心線に曲げを形成する凹曲面、及び曲げが与えられた前記テープ心線に対して光を入出力するプローブ光ファイバを保持する保持部を有する第１部材と、
先端で、前記テープ心線の面のうち前記光ファイバ心線間を前記第１部材の前記凹曲面の方向へ押し、前記テープ心線の面を前記第１部材の前記凹曲面に沿わせて曲げを形成する第２部材と、
を備える。
【００１１】
本光ファイバ側方入出力装置は、第２部材がテープ心線を第１部材の凹曲面へ押し付けており、テープ心線のテープ厚みの個体差を吸収してテープ心線と凹曲面部材との間の空隙を無くすことができる。そして、本光ファイバ側方入出力装置は、第２部材がテープ心線の面のうち光ファイバ心線間を点で押すため光ファイバ心線への側圧を低減することができる。
【００１２】
従って、本発明は、テープ心線のテープ厚みの個体差を吸収でき、テープ心線と凹曲面部材との間の空隙を無くすための押付力による各光ファイバ心線への側圧を回避して損失を低減できる光ファイバ側方入出力装置を提供することができる。
【００１３】
本発明に係る光ファイバ側方入出力装置の前記第２部材の前記先端は、球面であることが好ましい。テープ心線の表面に傷をつけることを回避できる。
【００１４】
本発明に係る光ファイバ側方入出力装置の前記第２部材は、前記先端が１つであり、前記先端が前記テープ心線の幅の中心を押す。
【００１５】
本発明に係る光ファイバ側方入出力装置の前記第２部材は、前記先端が複数であり、それぞれの前記先端が前記テープ心線の幅方向において中心に対して対称の位置を押す。押付力が複数に分散されるので側圧がさらに低減でき、損失もさらに低減できる。また、光ファイバ心線数が多く、幅広のテープ心線にも対応でき、それぞれの光ファイバ心線にかかる側圧が均等化され、光ファイバ心線毎の損失も均等になる。
【発明の効果】
【００１６】
本発明は、テープ心線のテープ厚みの個体差を吸収でき、テープ心線と凹曲面部材との間の空隙を無くすための押付力による各光ファイバ心線への側圧を回避して損失を低減できる光ファイバ側方入出力装置を提供することができる。
【図面の簡単な説明】
【００１７】
【図１】本発明に関連する光ファイバ側方入出力装置を説明する図である。
【図２】本発明に係る光ファイバ側方入出力装置を説明する図である。
【図３】本発明に係る光ファイバ側方入出力装置を説明する図である。
【図４】本発明に係る光ファイバ側方入出力装置を説明する図である。
【図５】本発明に係る光ファイバ側方入出力装置を説明する図である。
【図６】テープ心線を説明する図である。
【図７】曲げ径と曲げ角度の定義を説明する図である。
【発明を実施するための形態】
【００１８】
添付の図面を参照して本発明の実施形態を説明する。以下に説明する実施形態は本発明の実施例であり、本発明は、以下の実施形態に制限されるものではない。なお、本明細書及び図面において符号が同じ構成要素は、相互に同一のものを示すものとする。
【００１９】
図６は、テープ心線を説明する図である。テープ心線は光ファイバ心線を複数本並列させた構造である。本明細書では、図６のように名前を定義する。図６（Ａ）はテープ心線の面に垂直な方向から見た図であり、図６（Ｂ）はテープ心線をＹ−Ｙ’で切断した時の断面図である。
【００２０】
（本発明の概要）
図２は、本実施形態の光ファイバ側方入出力装置３０１を説明する図である。図２（Ａ）は光ファイバ側方入出力装置３０１の上面図であり、図２（Ｂ）は上面図のＸ−Ｘ’線での切断面を説明する図である。
光ファイバ側方入出力装置３０１は、
複数の光ファイバ心線が並列するテープ心線１００の面が表面に沿うことでテープ心線１００に曲げを形成する凹曲面２４、及び曲げが与えられたテープ心線１００に対して光を入出力するプローブ光ファイバ５０を保持する保持部５１を有する第１部材１１と、
先端で、テープ心線１００の面のうち前記光ファイバ心線間を第１部材１１の凹曲面２４の方向へ押し、テープ心線１００の面を第１部材１１の凹曲面２４に沿わせて曲げを形成する第２部材１２と、
を備える。
【００２１】
第１部材１１はテープ心線１００に曲げを与える凹曲面２４を有する。第２部材１２は、第１部材１１方向へ押し込んだ時に先端が凹曲面２４の最も窪んだ部分に当接する位置に配置されている。また、例えばテープ心線１００が４心である場合、先端が１番素線と２番素線の間、２番素線と３番素線の間、および３番素線と４番素線のうち、少なくとも１か所を押す（図２（Ｂ）参照）位置に第２部材１２が配置される。Ｎ心テープ心線でも同様に隣接する各素線の間の（Ｎ−１）か所のうち少なくとも１か所を押す位置に第２部材１２が配置される。
【００２２】
第２部材１２が所定の押付力でテープ心線１００を第１部材１１方向へ押し込むことでテープ心線１００に第１部材の凹曲面２４の形状の曲げが形成される（図２（Ａ））。
【００２３】
（実施形態１）
本実施形態の光ファイバ側方入出力装置３０１は、第２部材１２の先端が球面であることを特徴とする。図３は、本実施形態の光ファイバ側方入出力装置が４心のテープ心線１００に曲げを形成する様子を説明する断面図である。断面の位置は図２と同じである。図３（Ａ）は、第２部材１２の先端が球面でない場合、図３（Ｂ）は、第２部材１２の先端が球面である場合の図である。
【００２４】
第２部材１２の先端については、隣接する各光ファイバ素線の間だけを押す凸形状のものが考えられるが、三角形状など先端が鋭い形状である場合、テープ心線の表面に傷がつく恐れがある。このため、第２部材１２の先端は球面形状であることが望ましい。
【００２５】
（実施形態２）
本実施形態の光ファイバ側方入出力装置３０１は、第２部材１２の先端が１つであり、前記先端がテープ心線１００の幅の中心を押すことを特徴とする。図４は、本実施形態の光ファイバ側方入出力装置３０１が４心のテープ心線１００に曲げを形成する様子を説明する図である。図４（Ａ）は光ファイバ側方入出力装置３０１の上面図であり、図４（Ｂ）は上面図のＸ−Ｘ’線での切断面を説明する図である。
【００２６】
本実施形態の光ファイバ側方入出力装置３０１は第２部材１２の先端が球面である。押付部材の先端は半径Ｒ＝０．５ｍｍである。第１部材１１は、曲げ径２ｍｍであり曲げ角度２０度である。そして、第２部材１２の先端はテープ心線１００の２番素線と３番素線の間だけを押付力１〜３Ｎで押す。なお、曲げ径と曲げ角度の定義については図７に説明する。
【００２７】
（実施形態３）
本実施形態の光ファイバ側方入出力装置３０１は、第２部材１２の先端が複数であり、それぞれの前記先端がテープ心線１００の幅方向において中心に対して対称の位置を押すことを特徴とする。図５は、本実施形態の光ファイバ側方入出力装置３０１が４心のテープ心線１００に曲げを形成する様子を説明する図である。図５（Ａ）は光ファイバ側方入出力装置３０１の上面図であり、図５（Ｂ）は上面図のＸ−Ｘ’線での切断面を説明する図である。
【００２８】
本実施形態の光ファイバ側方入出力装置３０１は第２部材１２の先端が２つの球面である。第２部材１２の先端は半径Ｒ＝０．２５ｍｍ以下の半球である。第２部材１２の先端間は０．５ｍｍである。押付力は実施形態２と同じとすると、実施形態２の第２部材１２の先端が１つの場合と比較し、本実施形態の第２部材１２の先端１つあたりの押付力が半分となる。すなわち、テープ心線１箇所あたりにかかる側圧が半分になり、側圧による損失をさらに低減することができる。また、４心それぞれの心線にかかる側圧が等しくなるため、各光ファイバ心線の曲げ損失を同等にすることができる。
【００２９】
（発明の効果）
本発明に係る光ファイバ側方入出力装置は、テープ心線を押し曲げる際に生じる側圧による損失を小さくでき、本装置の挿入損失を小さくできるため、通信への影響を低減できる。
【符号の説明】
【００３０】
１１：第１治具
１２：第２治具
２４：凹曲面
５０：プローブ光ファイバ
５１：保持部
１００：テープ心線
３０１：光ファイバ側方入出力装置
【図１】
2018063392.tif 000003
【図２】
2018063392.tif 000004
【図３】
2018063392.tif 000005
【図４】
2018063392.tif 000006
【図５】
2018063392.tif 000007
【図６】
2018063392.tif 000008
【図７】
2018063392.tif 000009